(57)【要約】【課題】起動時において操作画面への情報の表示にかかる時間を短縮可能な画像形成装置を提供する。【解決手段】ＡＣスイッチ３５がオンになった場合には、電源制御ユニット１４が起動して、電源制御ユニット１４から操作部制御システム１１へ電源供給線（Ｖｃｃ１）３１における電力の供給及び電源供給線（Ｖｃｃ２）３０における電力の供給が順次開始されるが、操作部制御システム１１へ実際に電力が供給されるまでの所定の期間は、電力蓄積部６０，６２から電力が供給されて、ＬＣＤユニット４５に情報が表示される。【選択図】        図２
2010169873.tif 000002
【特許請求の範囲】
【請求項１】
主電源と、主電源から電力が供給されて装置全体を制御するメインシステムと、表示手段と前記メインシステムと通信して前記表示手段における情報の表示を制御する表示制御手段とを含む表示制御システムとを備える画像形成装置であって、
電力を蓄積する手段であって、前記主電源の投入に連動して、前記表示制御システムへ電力を供給する蓄電手段と、
前記表示手段に表示させるための第１情報を記憶する記憶手段とを備え、
前記表示手段は、前記主電源の投入後所定の期間、前記電力蓄積手段から供給される電力により、前記記憶手段に記憶された前記第１情報を表示し、
前記表示制御手段は、前記所定の期間が経過した後、前記主電源から供給される電力により、前記メインシステムから第２情報を受信し、当該第２情報を用いて前記表示手段に情報を表示させる
ことを特徴とする画像形成装置。
【請求項２】
前記表示制御手段は、前記所定の期間が経過した後、前記主電源から供給される電力により前記蓄電手段に蓄電させる
ことを特徴とする請求項１に記載の画像形成装置。
【請求項３】
前記表示制御システムは、
前記表示手段を点灯させるバックライト手段と、
前記バックライト手段を駆動させるＬＥＤとを更に含み、
前記ＬＥＤは、前記主電源の投入後、前記電力蓄積手段から供給される電力により、前記バックライト手段を駆動させる
ことを特徴とする請求項１又は２に記載の画像形成装置。
【請求項４】
前記表示制御システムは、
前記バックライト手段を駆動させる冷陰極間と、
前記主電源の投入後、前記主電源から供給される電力が一定値以上になったときに、前記バックライト手段の駆動元を前記ＬＥＤから前記冷陰極間に切り替える切替手段とを更に有する
ことを特徴とする請求項３に記載の画像形成装置。
【発明の詳細な説明】
【技術分野】
【０００１】
本発明は、電子写真式複写機、プリンタ、ファクシミリ、又はこれらの機能を併用した多機能複写機などの画像形成装置に関する。
【背景技術】
【０００２】
従来より、複写機等の画像形成装置では、使用者は、電源をオフの状態からオンの状態にして画像形成装置を起動させる場合、画像形成装置の状態が操作画面に表示されるのを待機していた。この操作画面に電力が供給されるまでには時間がかかり、また、画像形成装置の本体との通信が確立してから、画像形成装置の状態を表す情報が操作画面に転送されて表示されるまでにも時間がかかっていた。また近年では、操作画面に係る構成や画像形成装置本体におけるソフトが大型になっているため、その分、起動に時間がかかり、操作画面への表示もより一層時間がかかり、利用者には不便であった。また、省エネルギーのために、画像形成装置の一部への電力の供給を無くしたり減らしたりする状態（省エネルギー状態）にすることがあるが、この省エネルギー状態から通常動作状態に復帰する際にも時間がかかる。このような省エネルギー状態からの復帰にかかる時間を短縮した電源装置や画像形成装置は開発されている（例えば特許文献１参照）。
【発明の概要】
【発明が解決しようとする課題】
【０００３】
しかし、特許文献１の技術では、起動時において操作画面への情報の表示にかかる時間を短縮することは困難であった。
【０００４】
本発明は、上記に鑑みてなされたものであって、起動時において操作画面への情報の表示にかかる時間を短縮可能な画像形成装置を提供する。
【課題を解決するための手段】
【０００５】
上述した課題を解決し、目的を達成するために、本発明は、主電源と、主電源から電力が供給されて装置全体を制御するメインシステムと、表示手段と前記メインシステムと通信して前記表示手段における情報の表示を制御する表示制御手段とを含む表示制御システムとを備える画像形成装置であって、電力を蓄積する手段であって、前記主電源の投入に連動して、前記表示制御システムへ電力を供給する蓄電手段と、前記表示手段に表示させるための第１情報を記憶する記憶手段とを備え、前記表示手段は、前記主電源の投入後所定の期間、前記電力蓄積手段から供給される電力により、前記記憶手段に記憶された前記第１情報を表示し、前記表示制御手段は、前記所定の期間が経過した後、前記主電源から供給される電力により、前記メインシステムから第２情報を受信し、当該第２情報を用いて前記表示手段に情報を表示させることを特徴とする。
【発明の効果】
【０００６】
本発明によれば、起動時において操作画面への情報の表示にかかる時間を短縮可能にする。
【図面の簡単な説明】
【０００７】
【図１】図１は、一実施の形態にかかる画像形成装置の構成を示すブロック図である。
【図２】図２は、同実施の形態にかかるメインシステム１０及び操作部制御システム１１の内部構成を示すブロック図である。
【図３】図３は、同実施の形態にかかるＬＣＤユニット４５の詳細な構成を例示する図である。
【発明を実施するための形態】
【０００８】
以下に添付図面を参照して、この発明にかかる画像形成装置の最良な実施の形態を詳細に説明する。
【０００９】
＜画像形成装置の構成＞
図１は、本発明の第１の実施の形態にかかる画像形成装置の構成を示すブロック図である。画像形成装置１は、複数のユニットの組み合わせにより構成されており、各ユニットとして、メインシステム１０と、操作部制御システム１１と、画像処理システム１２と、Ｉ／Ｏ制御システム１３と、電源制御ユニット１４と、プロッタユニット１５と、スキャナユニット１６とから構成される。メインシステム１０は、画像形成装置１全体を制御する。また、メインシステム１０は、ネットワーク１７を介して他の装置とデータ通信を制御する。スキャナユニット１６は、光学系、走行体及び走行体を駆動するモータ（いずれも図示せず）などにより構成され、原稿面を走査し、画像データを取り込む。プロッタユニット１５は、作像システム、定着システム及び紙搬送システムなど、複数のアクチュエータ（いずれも図示せず）の組合せによりプリント機能を実現する。操作部制御システム１１は、利用者が各種指示を入力するための操作入力機能と、利用者に情報を提供する表示機能とを制御する。画像処理システム１２は、スキャナユニット１６に取り込まれた画像データや、ネットワーク１７を介して受信された画像データに対して各種画像処理を行う。Ｉ／Ｏ制御システム１３は、スキャナユニット１６や、プロッタユニット１５のアクチュエータに対する信号の入出力を制御する。電源制御ユニット１４は、各ユニットに対してＤＣ電力を供給する。これらの操作部制御システム１１と、画像処理システム１２と、Ｉ／Ｏ制御システム１３と、電源制御ユニット１４と、プロッタユニット１５と、スキャナユニット１６とは、通信制御線１８によってメインシステム１０と接続される。メインシステム１０は、通信制御線１８により、操作部制御システム１１と、画像処理システム１２と、Ｉ／Ｏ制御システム１３と、電源制御ユニット１４と、プロッタユニット１５と、スキャナユニット１６とに対するコマンドを適宜送受信することにより、これらの各ユニットを制御する。尚、操作部制御システム１１と、画像処理システム１２と、Ｉ／Ｏ制御システム１３とは各々、メインシステム１０に対するサブシステムという。 
【００１０】
＜メインシステム及び操作部制御システムの構成＞
図２はメインシステム１０及び操作部制御システム１１の内部構成を示すブロック図である。メインシステム１０と操作部制御システム１１とはコネクタ３４を介して接続される。メインシステム１０は、ＣＰＵ（Central Processing Unit）２０と、ＲＯＭ（Read Only Memory）２１と、ＲＡＭ（Random Access Memory）２２と、不揮発性メモリ（ＮＶ）２３と、ホスト(Host)２４とを有する。ＣＰＵ２０は、メインシステム１０全体を制御する。また、ＣＰＵ２０は、通信部(Com)２０Ａと、Ｉ／Ｏポート２０Ｂとを有し、これらを介した各サブシステムとの通信を制御する。ＲＯＭ２１は、各種データやＣＰＵ２０が実行するための各種プログラムを記憶する。ＲＡＭ２２は、ＣＰＵ２０が各種プログラムを実行する際に各種データや各種プログラムを一時的に記憶する。ＮＶ２３は、画像形成装置１における各種初期値や各種設定値を記憶する。ホスト２４は、ＣＰＵ２０の通信部２０Ａと、操作部制御システム１１との間の通信制御線１８を介した通信を制御する。
【００１１】
操作部制御システム１１は、ＣＰＵ４０と、ＲＯＭ４１と、ＲＡＭ４２と、ＮＶ４３と、キー入力装置（ＫＥＹ）４４と、ＬＣＤユニット４５と、ソフトスイッチ４６とを有する。ＣＰＵ４０は、操作部制御システム１１全体を制御する。また、ＣＰＵ４０は、通信部４０Ａと、Ｉ／Ｏポート４０Ｂとを有し、これらを介したメインシステム１０との通信を制御する。ＲＯＭ４１は、各種データやＣＰＵ４０が実行するための各種プログラムを記憶する。ＲＡＭ４２は、ＣＰＵ４０が各種プログラムを実行する際に各種データや各種プログラムを一時的に記憶する。ＮＶ４３は、画像形成装置１における各種初期値や各種設定値を記憶する。また、ＮＶ４３は、ＬＣＤユニット４５に情報を表示させるためのＬＣＤモジュールなどの各種プログラムや画面データなどの各種表示用データを記憶する。ＫＥＹ４４及びＬＣＤユニット４５は、ユーザーインターフェースとして機能するものである。ＫＥＹ４４は、利用者が指示を入力するための操作ボタンや操作キーにより構成される。ＬＣＤユニット４５は、ＬＣＤ（Liquid Crystal Display）を有する表示ユニットであり、利用者に対して情報を表示する。ソフトスイッチ４６は、後述する動作モードの１つであるサスペンスモードのオン／オフを制御するために、利用者によって操作されるスイッチであり、利用者の操作に応じて、サスペンスモードの移行のオン又はオフを示すスイッチ信号を信号線３６を介して出力する。このスイッチ信号は、メインシステム１０のＣＰＵ２０に入力される。 
【００１２】
また、電源制御ユニット１４と、メインシステム１０のＣＰＵ２０と、操作部制御システム１１のＣＰＵ４０、ＲＡＭ４２及びＮＶ４３とは、電源供給線（Ｖｃｃ１）３１により接続される。電源供給線（Ｖｃｃ１）３１を介して電源制御ユニット１４からメインシステム１０のＣＰＵ２０と、操作部制御システム１１のＣＰＵ４０、ＲＡＭ４２及びＮＶ４３とに対して電源が供給される。また、電源制御ユニット１４と、操作部制御システム１１のＫＥＹ４４及びＬＣＤユニット４５との間には、電源供給線（Ｖｃｃ２）３０が接続され、電源制御ユニット１４とＬＣＤユニット４５との間には、更に、電源供給線（Ｖｃｃ１）３１が接続される。電源制御ユニット１４と、メインシステム１０のＣＰＵ２０及び操作部制御システム１１のＣＰＵ４０との間には、以下に説明する動作モードに関連する電源制御信号が出力される信号線２５が接続される。 
【００１３】
ここで、画像形成装置１の動作モードについて説明する。この画像形成装置１においては、その動作モードとして各々通電状態の異なる通常動作モード及びサスペンドモードとの２つが主に設定される。通常動作モードは、コマンド、データなどの入力を受け、画像を形成する処理や、コマンドやデータなどの受信に応じた処理を即時実行可能な状態で待ち受けている状態である。サスペンドモードは、画像形成装置１の消費電力をより低減させた待機状態である。通常動作モードにおける待機状態が全てのユニットに通電した状態であるのに対し、サスペンドモードでは、コマンドやデータを受け付けるための最低限のユニットにのみ通電し、画像形成装置１の消費電力を低減させる。従って、動作モードがサスペンドモードである場合、画像形成装置１は省エネルギー状態となる。このサスペンドモードにおいては、メインシステム１０からの指示コマンドにより、電源制御ユニット１４はメインシステム１０、操作部制御システム１１に対してのみ電力供給を実行し、その他のユニットに対しては電力の供給を停止する。
【００１４】
このような構成において、メインシステム１０のＣＰＵ２０には、操作部制御システム１１のソフトスイッチ４６から信号線３６を介して出力されるスイッチ信号が入力される。ＣＰＵ２０は、当該スイッチ信号の変化を検出し、サスペンドモードへの移行をオンにすることを当該スイッチ信号が示す場合、電源制御信号をＬｏｗにして信号線２５を介して電源制御ユニット１４に対して出力する。また、ＣＰＵ２０は、サスペンドモードへの移行をオフにする、即ち、通常動作モードへ復帰することを当該スイッチ信号が示す場合、電源制御信号をＨｉｇｈにして信号線２５を介して電源制御ユニット１４に対して出力する。電源制御ユニット１４は、主電源であり、電源制御信号に応じて、通常動作モード又はサスペンドモードに対応した電力の供給を行う。具体的には、通常動作モードでは、電源制御ユニット１４は、電源供給線（Ｖｃｃ１）３１及び電源供給線（Ｖｃｃ２）３０の両方において電力を供給する。尚、電源制御ユニット１４は、電源供給線（Ｖｃｃ１）３１においては所定電位以上（Ｖｃｃ１）の電力を供給し、電源供給線（Ｖｃｃ２）３０においては所定電位より低位（Ｖｃｃ２）の電力を供給する。一方、サスペンドモードの場合、電源制御ユニット１４は、電源供給線（Ｖｃｃ１）３１における電力の供給を継続するが、電源供給線（Ｖｃｃ２）３０における電力の供給を遮断する。この結果、待機時に活性化が不要なユニットへの電力の供給を遮断することで、待機時における消費電力の低減を実現することができる。
【００１５】
また、図２に示されるように、電源制御ユニット１４における電源のオン／オフを切り替えるためのＡＣスイッチ３５が備えられる。このＡＣスイッチ３５において電源がオンに切り替えられると、電源が投入されることになる。また、ＡＣスイッチ３５において電源がオフに切り替えられると、電源供給線（Ｖｃｃ１）３１からの電力の供給も遮断させることができる。この場合の画像形成装置１において設定されるモードを、例えば、シャットダウンモードという。このシャットダウンモードは、画像形成装置１において設定されるモードのうち最も消費電力が小さいモードである。このシャットダウンモードにおいては、ＫＥＹ４４における操作入力、ソフトスイッチ４６における押下操作等の入力が発生した場合でも画像形成装置１は起動できないため、一般的には通常動作モード、もしくはサスペンドモードで使用されることになる。尚、ＡＣスイッチ３５において電源がオンに切り替えられた場合には、電源制御ユニット１４が起動して、電源制御ユニット１４から操作部制御システム１１へ電源供給線（Ｖｃｃ１）３１における電力の供給が開始され、次に、電源供給線（Ｖｃｃ２）３０における電力の供給が開始される。
【００１６】
また、電源供給線（Ｖｃｃ１）３１から分岐して、電力蓄積部６０と、電力蓄積部６０と操作部制御システム１１とを繋ぐためのスイッチ６１とが備えられる。同様に、電源供給線（Ｖｃｃ２）３０から分岐して、電力蓄積部６２と、電力蓄積部６２と操作部制御システム１１とを繋ぐためのスイッチ６３とが備えられる。電力蓄積部６０は、キャパシタなどにより構成され、操作部制御システム１１の起動時に必要な電力容量を有する。スイッチ６１は、電力蓄積部６０から操作部制御システム１１へ電源供給線（Ｖｃｃ１）３１を介した電力の供給に対するオン／オフを切り替えるためのものであり、ＡＣスイッチ３５と連動してオン／オフが切り替えられる。電力蓄積部６２は、キャパシタなどにより構成され、操作部制御システム１１の起動時に必要な電力容量を有する。スイッチ６３は、電力蓄積部６２から操作部制御システム１１への電源供給線（Ｖｃｃ２）３０を介した電力の供給に対するオン／オフを切り替えるためのものであり、ＡＣスイッチ３５と連動してオン／オフが切り替えられる。
【００１７】
具体的には、ＡＣスイッチ３５がオンになると、スイッチ６１，６３がオンになり、電力蓄積部６０から操作部制御システム１１へ電源供給線（Ｖｃｃ１）３１を介した電力及び電源供給線（Ｖｃｃ１）３０を介した電力が供給される。ＡＣスイッチ３５がオンになった場合には、電源制御ユニット１４が起動して、電源制御ユニット１４から操作部制御システム１１へ電源供給線（Ｖｃｃ１）３１における電力の供給及び電源供給線（Ｖｃｃ２）３０における電力の供給が順次開始されるが、操作部制御システム１１へ実際に電力が供給されるまでには、時間がかかる。従って、ＡＣスイッチがオンになっても直ぐにはＣＰＵ４０が起動せず、ＬＣＤユニット４５に情報を表示させることができない。しかし、本実施の形態においては、ＡＣスイッチ３５がオンになったときに、操作部制御システム１１へ電力蓄積部６０，６２から電力が供給されるため、電源制御ユニット１４から電力が供給される前に、ＬＣＤユニット４５に情報を表示させることができる。
【００１８】
ここで、情報を表示させるＬＣＤユニット４５の詳細な構成について図３を用いて説明する。ＬＣＤユニット４５は、バックライト部７０と、電圧監視切替装置７１と、ＬＥＤ７２と、冷陰極間７３と、ＬＣＤセグメントドライバ７４と、ＬＣＤコモンドライバ７５と、フレームメモリ７６，７７と、ＬＣＤ７８とを有する。冷陰極間７３には、電源供給線（Ｖｃｃ２）３０からインバータ（図示せず）を介して電力が供給される。ＬＥＤ７２には、電源供給線（Ｖｃｃ１）３１から電力が供給される。ＬＣＤ７８は、情報を表示させるディスプレイであり、ＬＣＤセグメントドライバ７４と、ＬＣＤコモンドライバ７５とにより駆動される。
【００１９】
バックライト部７０は、ＬＣＤ７８を点灯させるものであり、通常、電源供給線（Ｖｃｃ２）３０から電力が供給される冷陰極間７３により駆動される。冷陰極間７３によりバックライト部７０を駆動するには大きな電力が消費され、バックライト部７０が駆動するまでには時間がかかる。このため、本実施の形態においては、電圧監視切替装置７１が、電源供給線（Ｖｃｃ１）３１から供給される電力の電位及び電源供給線（Ｖｃｃ２）３０から供給される電力の電位を検出し、電位の値に応じて、バックライト部７０の駆動源を切り替える。具体的には、電圧監視切替装置７１は、電源供給線（Ｖｃｃ２）３０から供給される電力の電位が一定値（ここでは、Ｖｃｃ２とする）より小さい場合は、バックライト部７０をＬＥＤ７２により駆動すべく、電源供給線（Ｖｃｃ１）３１からＬＥＤ７２に電力を供給させ、電源供給線（Ｖｃｃ２）３０から供給される電力の電位がＶｃｃ２以上である場合は、バックライト部７０を冷陰極間７３により駆動すべく、電源供給線（Ｖｃｃ１）３１からＬＥＤ７２への電力の供給を遮断する。ＬＥＤ７２の消費電力は小さく、バックライト部７０をＬＥＤ７２によって駆動するのは、冷陰極間７３によって駆動するよりも時間がかからない。尚、ＬＥＤ７２への電力は、電源制御ユニット１４から供給されるまでは電力蓄積部６０から供給される。このため、ＡＣスイッチ３５がオンにされて直ぐに電力が供給されたＬＥＤ７２によりバックライト部７０が駆動されることにより、ＬＣＤ７８を素早く点灯させることができる。このため、操作入力機能や表示機能が有効になったことを使用者に瞬時に報知することができる。
【００２０】
一方で、電源供給線（Ｖｃｃ２）３０から電位がＶｃｃ２以上の電力が供給されてからは、バックライト部７０を冷陰極間７３により駆動することで、高い輝度でＬＣＤ７８を点灯させることができる。従って、使用者の利便性をより向上させることができる。また、電源供給線（Ｖｃｃ２）３０から電位がＶｃｃ２以上の電力が供給されるまでの間に、ＬＥＤ７２によりバックライト部７０を駆動するために必要な電力を電力蓄積部６０は蓄積すれば良いので、その分電力蓄積部６０を小型化することができる。
【００２１】
また、ＬＣＤセグメントドライバ７４には、ＬＣＤ７８に表示させる画像として初期画面を表す画像を記憶するフレームメモリ７６が備えられ、ＬＣＤコモンドライバ７５にも同様のフレームメモリ７７が備えられる。ＬＣＤセグメントドライバ７４及びＬＣＤコモンドライバ７５には、電源供給線（Ｖｃｃ１）３１が接続され、電源供給線（Ｖｃｃ１）３１を介して電源制御ユニット１４又は電力蓄積部６０から電力が供給される。ＬＣＤセグメントドライバ７４及びＬＣＤコモンドライバ７５に、電源制御ユニット１４から電力が供給される前に電力蓄積部６０から電力が供給されると、フレームメモリ７６，７７は、記憶された画像を各々出力し、この結果、ＬＣＤ７８に初期画面が表示される。従って、ＡＣスイッチ３５がオンにされて直ぐに、ＬＣＤ７８に初期画面が表示されることになる。このため、操作入力機能や表示機能が有効になったことを使用者に瞬時に報知することができる。一方、電源制御ユニット１４から操作部制御システム１１に電力が供給されて、ＣＰＵ４０が起動した後は、ＲＯＭ２１に記憶された各種プログラムを実行し、ＬＣＤ７８に表示させるために必要な装置情報をメインシステム１０のＣＰＵ２０から受信して、当該情報を用いてＬＣＤ７８に表示を行なわせる。装置情報とは、ＮＶ２３に記憶されている各種設定値などの全部又は一部であり、例えば、画像形成装置１において収容されている紙の枚数や、周辺機器の接続状態などである。ＣＰＵ４０は、このような装置情報を用いて表示データを生成してこれをＬＣＤ７８に出力する。この結果、ＬＣＤ７８に情報が表示される。尚、ＣＰＵ４０は装置情報自体をＬＣＤ７８に表示させるようにしても良い。
【００２２】
ＣＰＵ４０が起動しメインシステム１０から装置情報を受信するまでには、時間がかかるが、ＬＣＤセグメントドライバ７４及びＬＣＤコモンドライバ７５に初期画面を表す画像を記憶するフレームメモリ７６，７７を各々備えることで、ＡＣスイッチ３５がオンにされてから直ぐにＬＣＤ７８への表示を行なうことができる。また、ＣＰＵ４０が起動しメインシステム１０から装置情報を受信した後は、装置情報を用いた表示をＬＣＤ７８に行なわせることで、使用者は、画像形成装置１の装置状態を正確に把握することができる。従って、使用者の利便性をより向上させることができる。
【００２３】
以上のような構成によれば、ＡＣスイッチがオンになって所定の期間が経過するまでは。電力蓄積部６０，６２から供給される電力により、ＬＣＤユニット４５に情報を表示させ、所定の期間が経過後には、電源制御ユニット１４から電力が供給されるため、この電力により、ＬＣＤユニット４５に情報を表示させる。電力蓄積部６０，６２から電力を供給する能力には限界があるため、電源制御ユニット１４から電力が供給されたときには、電力供給源を電源制御ユニット１４に切り替えることで、電力を安定的に供給することができる。このため、ＬＣＤユニット４５には、メインシステム１０の制御の下、様々な情報を安定的に表示させることができる。即ち、本実施の形態にかかる構成によれば、表示の即時性と、表示の安定性と、表示の多様性とを実現することができる。また、このような構成によれば、電力蓄積部６０，６１の電力容量は、操作部制御システム１１の起動時に必要な量だけにすることができるため、その分電力蓄積部６０，６２を小型化することができる。
【００２４】
また、ＡＣスイッチ３５がオンになってから所定の期間が経過して、電源制御ユニット１４から電力が供給されると、スイッチ６１，６３もオンになっていることから、電力蓄積部６０，６２へも電力が供給されて、電力蓄積部６０，６２を充電させる。その後ＡＣスイッチ３５がオフにされた後オンにされたときには、電力蓄積部６０，６２には必要な電力容量の電力が蓄積されているため、上述したように、電力蓄積部６０，６２から操作部制御システム１１へ電力を供給することができる。従って、使用者の操作等を特に必要とすることなく蓄電がなされるため、使用者の利便性をより向上させることができる。
【００２５】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００２６】
上述の実施の形態では、本発明の画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【００２７】
１  画像形成装置
１０  メインシステム
１１  操作部制御システム
１２  画像処理システム
１３  Ｉ／Ｏ制御システム
１４  電源制御ユニット
１５  プロッタユニット
１６  スキャナユニット
１７  ネットワーク
３０  電源供給線（Ｖｃｃ２）
３１  電源供給線（Ｖｃｃ１）
３５  ＡＣスイッチ
４４  ＫＥＹ
４５  ＬＣＤユニット
４６  ソフトスイッチ
６０，６２  電力蓄積部
６１，６３  スイッチ
７０  バックライト部
７１  電圧監視切替装置
７２  ＬＥＤ
７３  冷陰極間
７４  ＬＣＤセグメントドライバ
７５  ＬＣＤコモンドライバ
７６，７７  フレームメモリ
【先行技術文献】
【特許文献】
【００２８】
【特許文献１】特開２００６−３５０２０２号公報
【図１】
2010169873.tif 000003
【図２】
2010169873.tif 000004
【図３】
2010169873.tif 000005